(57)【要約】【課題】木質の柱部材と梁部材とを接合した柱梁接合構造において、接合部の剛性および耐力を向上することができる構造を提供する。【解決手段】木質の柱部材１２と梁部材１４とを接合してなる柱梁接合構造において、梁部材１４を接続するための突出金物２０を側端面に有する下側柱部材１２Ｂと、下側柱部材１２Ｂおよび梁部材１４の上端面に配置される水平板状の床部材１６と、床部材１６を挟んで下側柱部材１２Ｂの上方に配置される上側柱部材１２Ａとを備え、上側柱部材１２Ａと床部材１６と下側柱部材１２Ｂとを、床部材１６の上下端面から上下に突出し、上側柱部材１２Ａおよび下側柱部材１２Ｂに挿入配置され、ここに付着固定される鋼棒３０を用いて接合し、床部材１６の内部に、梁部材１４の端部の曲げモーメントを床部材１６に伝達可能な補強部材３４を配置して曲げ耐力を向上させた。【選択図】図１
2016037797.tif 000002
【特許請求の範囲】
【請求項１】
木質の柱部材と梁部材とを接合してなる柱梁接合構造において、
梁部材を接続するための突出金物を側端面に有する下側柱部材と、下側柱部材および梁部材の上端面に配置される水平板状の床部材と、床部材を挟んで下側柱部材の上方に配置される上側柱部材とを備え、
上側柱部材と床部材と下側柱部材とを、床部材の上下端面から上下に突出し、上側柱部材および下側柱部材に挿入配置され、ここに付着固定される鋼棒を用いて接合し、
床部材の内部に、梁部材の端部の曲げモーメントを床部材に伝達可能な補強部材を配置して曲げ耐力を向上させたことを特徴とする柱梁接合構造。
【請求項２】
梁部材を、鉄骨を内蔵した集成材、または、木材で構成したことを特徴とする請求項１に記載の柱梁接合構造。
【請求項３】
木質の柱部材と梁部材とを接合してなる柱梁接合構造において、
梁部材が接続する鉄筋コンクリートまたはコンクリートからなる仕口部材と、仕口部材の下端面に配置される下側柱部材と、仕口部材および梁部材の上端面に配置される水平板状の床部材と、床部材を挟んで仕口部材の上方に配置される上側柱部材とを備え、
上側柱部材と床部材と仕口部材と下側柱部材とを、床部材の上下端面から上下に突出し、上側柱部材、仕口部材および下側柱部材に挿入配置され、ここに付着固定される鋼棒を用いて接合し、
床部材の内部に、梁部材の端部の曲げモーメントを床部材に伝達可能な補強部材を配置して曲げ耐力を向上させたことを特徴とする柱梁接合構造。
【請求項４】
梁部材を、鉄骨または鉄筋コンクリートで構成したことを特徴とする請求項３に記載の柱梁接合構造。
【請求項５】
床部材を、鉄筋コンクリートで構成するとともに、補強部材を、梁部材の軸方向に延在する鉄筋で構成したことを特徴とする請求項１〜４のいずれか一つに記載の柱梁接合構造。
【請求項６】
床部材を、クロス・ラミネーティッド・ティンバーまたは軽量気泡コンクリートに代表される乾式材料で構成するとともに、補強部材を、梁部材の軸方向に延在する棒状の補強ロッドで構成したことを特徴とする請求項１〜４のいずれか一つに記載の柱梁接合構造。
【発明の詳細な説明】
【技術分野】
【０００１】
本発明は、木質の柱部材と梁部材とを接合した柱梁接合構造に関するものである。
【背景技術】
【０００２】
従来、木質の柱部材と梁部材からなる木質構造のラーメン架構の柱梁接合部に関しては、例えば特許文献１に示されるような接合構造をはじめとして様々なディテールが存在する。一般に、木質構造の柱梁接合部は、接合金物の剛性および木材のめり込み等の要因で接合効率が鉄骨構造やＲＣ（鉄筋コンクリート）構造のものと比較して相対的に小さく、接合部の剛性、耐力は必要量に対して不足する傾向にある。この場合、木質構造のラーメン架構の水平剛性を確保するために、別の耐震要素を計画する必要がある等の制約が生じることが多い。
【先行技術文献】
【特許文献】
【０００３】
【特許文献１】特開２０１４−２９０９２号公報
【発明の概要】
【発明が解決しようとする課題】
【０００４】
このため、木質の柱部材と梁部材とを接合した柱梁接合構造において、接合部の剛性および耐力を向上することが望まれていた。
【０００５】
本発明は、上記に鑑みてなされたものであって、木質の柱部材と梁部材とを接合した柱梁接合構造において、接合部の剛性および耐力を向上することができる柱梁接合構造を提供することを目的とする。
【課題を解決するための手段】
【０００６】
上記した課題を解決し、目的を達成するために、本発明に係る柱梁接合構造は、木質の柱部材と梁部材とを接合してなる柱梁接合構造において、梁部材を接続するための突出金物を側端面に有する下側柱部材と、下側柱部材および梁部材の上端面に配置される水平板状の床部材と、床部材を挟んで下側柱部材の上方に配置される上側柱部材とを備え、上側柱部材と床部材と下側柱部材とを、床部材の上下端面から上下に突出し、上側柱部材および下側柱部材に挿入配置され、ここに付着固定される鋼棒を用いて接合し、床部材の内部に、梁部材の端部の曲げモーメントを床部材に伝達可能な補強部材を配置して曲げ耐力を向上させたことを特徴とする。
【０００７】
また、本発明に係る他の柱梁接合構造は、上述した発明において、梁部材を、鉄骨を内蔵した集成材、または、木材で構成したことを特徴とする。
【０００８】
また、本発明に係る他の柱梁接合構造は、木質の柱部材と梁部材とを接合してなる柱梁接合構造において、梁部材が接続する鉄筋コンクリートまたはコンクリートからなる仕口部材と、仕口部材の下端面に配置される下側柱部材と、仕口部材および梁部材の上端面に配置される水平板状の床部材と、床部材を挟んで仕口部材の上方に配置される上側柱部材とを備え、上側柱部材と床部材と仕口部材と下側柱部材とを、床部材の上下端面から上下に突出し、上側柱部材、仕口部材および下側柱部材に挿入配置され、ここに付着固定される鋼棒を用いて接合し、床部材の内部に、梁部材の端部の曲げモーメントを床部材に伝達可能な補強部材を配置して曲げ耐力を向上させたことを特徴とする。
【０００９】
また、本発明に係る他の柱梁接合構造は、上述した発明において、梁部材を、鉄骨または鉄筋コンクリートで構成したことを特徴とする。
【００１０】
また、本発明に係る他の柱梁接合構造は、上述した発明において、床部材を、鉄筋コンクリートで構成するとともに、補強部材を、梁部材の軸方向に延在する鉄筋で構成したことを特徴とする。
【００１１】
また、本発明に係る他の柱梁接合構造は、上述した発明において、床部材を、クロス・ラミネーティッド・ティンバーまたは軽量気泡コンクリートに代表される乾式材料で構成するとともに、補強部材を、梁部材の軸方向に延在する棒状の補強ロッドで構成したことを特徴とする。
【発明の効果】
【００１２】
本発明に係る柱梁接合構造によれば、木質の柱部材と梁部材とを接合してなる柱梁接合構造において、梁部材を接続するための突出金物を側端面に有する下側柱部材と、下側柱部材および梁部材の上端面に配置される水平板状の床部材と、床部材を挟んで下側柱部材の上方に配置される上側柱部材とを備え、上側柱部材と床部材と下側柱部材とを、床部材の上下端面から上下に突出し、上側柱部材および下側柱部材に挿入配置され、ここに付着固定される鋼棒を用いて接合し、床部材の内部に、梁部材の端部の曲げモーメントを床部材に伝達可能な補強部材を配置して曲げ耐力を向上させたので、木質の上側柱部材および下側柱部材は、床部材を介して鋼棒によって互いに剛接合されるとともに、床部材の内部の補強部材によって接合効率が高められる。このため、従来の接合形式に比べて、接合部の剛性および耐力を向上することができるという効果を奏する。
【００１３】
また、本発明に係る他の柱梁接合構造によれば、梁部材を、鉄骨を内蔵した集成材、または、木材で構成したので、柱梁接合構造を比較的安価に実現することができるとともに、意匠性に優れた木質空間を提供することができるという効果を奏する。
【００１４】
また、本発明に係る他の柱梁接合構造によれば、木質の柱部材と梁部材とを接合してなる柱梁接合構造において、梁部材が接続する鉄筋コンクリートまたはコンクリートからなる仕口部材と、仕口部材の下端面に配置される下側柱部材と、仕口部材および梁部材の上端面に配置される水平板状の床部材と、床部材を挟んで仕口部材の上方に配置される上側柱部材とを備え、上側柱部材と床部材と仕口部材と下側柱部材とを、床部材の上下端面から上下に突出し、上側柱部材、仕口部材および下側柱部材に挿入配置され、ここに付着固定される鋼棒を用いて接合し、床部材の内部に、梁部材の端部の曲げモーメントを床部材に伝達可能な補強部材を配置して曲げ耐力を向上させたので、木質の上側柱部材および下側柱部材は、床部材および仕口部材を介して鋼棒によって互いに剛接合されるとともに、床部材の内部の補強部材によって接合効率が高められる。このため、従来の接合形式に比べて、接合部の剛性および耐力を向上することができるという効果を奏する。
【００１５】
また、本発明に係る他の柱梁接合構造によれば、梁部材を、鉄骨または鉄筋コンクリートで構成したので、柱梁接合構造を比較的安価に実現することができるという効果を奏する。
【００１６】
また、本発明に係る他の柱梁接合構造によれば、床部材を、鉄筋コンクリートで構成するとともに、補強部材を、梁部材の軸方向に延在する鉄筋で構成したので、床部材の内部の鉄筋によって接合効率が高められるとともに、施工性に優れた柱梁接合構造を比較的安価に実現することができるという効果を奏する。
【００１７】
また、本発明に係る他の柱梁接合構造によれば、床部材を、クロス・ラミネーティッド・ティンバーまたは軽量気泡コンクリートに代表される乾式材料で構成するとともに、補強部材を、梁部材の軸方向に延在する棒状の補強ロッドで構成したので、床部材の内部の補強ロッドによって接合効率が高められるとともに、施工性に優れた柱梁接合構造を比較的安価に実現することができるという効果を奏する。
【図面の簡単な説明】
【００１８】
【図１】図１は、本発明に係る柱梁接合構造の実施の形態１を示す正面断面図である。
【図２】図２は、図１のＡ−Ａ線に沿った図である。
【図３】図３は、図１のＢ−Ｂ線に沿った図である。
【図４】図４は、本発明に係る柱梁接合構造の実施の形態１を示す概略部分斜視図であり、床部材および上側柱部材の図示を省略した図である。
【図５】図５は、本発明に係る柱梁接合構造の実施の形態２を示す正面断面図である。
【図６】図６は、図５のＡ−Ａ線に沿った図である。
【図７】図７は、図５のＢ−Ｂ線に沿った図である。
【図８】図８は、本発明に係る柱梁接合構造の実施の形態２を示す概略部分斜視図であり、床部材および上側柱部材の図示を省略した図である。
【図９】図９は、本発明に係る柱梁接合構造の実施の形態３を示す正面断面図である。
【図１０】図１０は、図９のＡ−Ａ線に沿った図である。
【図１１】図１１は、本発明に係る柱梁接合構造の実施の形態４を示す正面断面図である。
【図１２】図１２は、本発明に係る柱梁接合構造の実施の形態５を示す正面断面図である。
【発明を実施するための形態】
【００１９】
以下に、本発明に係る柱梁接合構造の実施の形態を図面に基づいて詳細に説明する。なお、この実施の形態によりこの発明が限定されるものではない。
【００２０】
（実施の形態１）
本実施の形態１は、木質の柱部材に対して木質の梁部材が取り付く態様のものである。
【００２１】
図１〜図４に示すように、本実施の形態１に係る柱梁接合構造１００は、木質の角型断面の柱部材１２と木質の角型断面の梁部材１４とを接合してなる柱梁接合構造であって、上側柱部材１２Ａと、梁部材１４が接続する下側柱部材１２Ｂと、下側柱部材１２Ｂおよび梁部材１４の上端面に配置される鉄筋コンクリートからなる水平板状の床部材１６とを備える。上側柱部材１２Ａは、床部材１６を挟んで下側柱部材１２Ｂの上方に配置される。
【００２２】
下側柱部材１２Ｂは、下側柱部材１２Ｂに水平に挿通配置した引きボルト１８および引きボルト１８の端部のナット１８ａを介してこの下側柱部材１２Ｂの側端面に締結固定される平面視でＴ字状断面の梁部材接続用の金物２０（突出金物）を有する。
【００２３】
梁部材接続用の金物２０は、ガセットプレート２２とベースプレート２４とからなり、例えばＨ形鋼をウェブ中央で切断したＴ形鋼（カットティー）などを用いて構成することができる。ガセットプレート２２は、梁部材１４の端面に開けられた図示しない凹溝部に挿入配置され、ベースプレート２４は下側柱部材１２Ｂの側面に当接配置される。なお、金物２０が取り付けられる下側柱部材１２Ｂの側面の凹部状の座彫りの下端部には、モルタルなどの断熱材２６が設けられる。
【００２４】
ガセットプレート２２には、図１および図３に示すように、ドリフトピンまたはボルト等の接合具２８を挿通するための貫通孔が開けられており（本実施例では１枚当たり８か所）、梁部材１４はこの貫通孔に通された接合具２８を介してガセットプレート２２に固定される。一方、ベースプレート２４にも、図２に示すように、引きボルト１８を挿通するための貫通孔が開けられている。本実施例では、ガセットプレート２２を挟んで左右両側にそれぞれ引きボルト１８用の貫通孔が４か所ずつ開けられている。このように、下側柱部材１２Ｂと梁部材１４は、ガセットプレート２２により２面せん断型に剛接合される。
【００２５】
上側柱部材１２Ａと床部材１６と下側柱部材１２Ｂとは、床部材１６を上下に貫通し（床部材１６の上下端面から上下に突出し）、上側柱部材１２Ａおよび下側柱部材１２Ｂに挿入配置され、ここに付着固定される鋼棒としてのＧＩＲ（グルード・イン・ロッド）３０を用いて接合されている。このＧＩＲ３０は、上側柱部材１２Ａおよび下側柱部材１２Ｂの内部に設けた挿通孔に挿入配置した後、挿通孔の間隙に注入される接着材を介して付着固定される。ＧＩＲ３０は、側面視で間隔をあけて４箇所、すなわち平面視で柱部材１２の周囲の１２箇所に配置される。
【００２６】
柱部材１２は、芯材と燃え止まり層（図面では図示を省略）と燃え代層３２とからなる。芯材は、荷重を支持する集成材（木材）からなり、例えば、スギやカラマツなどの一般的な集成材で構成することができる。燃え止まり層は、芯材の外側に設けられる耐火性を有する被覆層であり、不燃処理された木材などにより構成することができる。燃え代層３２は、燃え止まり層の外側に木質感を付与するためのものであり、木材や集成材等の木質材料で構成することができる。また、梁部材１４についても、芯材と燃え止まり層と燃え代層とからなる木質材料で構成することができる。
【００２７】
床部材１６の内部には、梁部材１４の端部の曲げモーメントを床部材１６に伝達可能な補強部材としての引張軸補強筋（鉄筋）３４が配置されている。この引張軸補強筋３４は、左右あるいは前後一対の梁部材１４および下側柱部材１２Ｂを跨ぐ態様で梁部材１４の軸方向に沿って延在しており、床部材１６の高さ方向略中央に配置される。引張軸補強筋３４は、梁部材１４の幅方向に間隔をあけて３本配置される。引張軸補強筋３４を配置することで曲げ耐力が向上し、柱梁の接合効率を大幅に高めることが可能である。
【００２８】
梁部材１４と床部材１６は、梁部材１４の上端面に開けられた図示しない挿入孔にねじ込まれるラグスクリューボルト３６によって接合固定される。ラグスクリューボルト３６は、梁部材１４と床部材１６間のせん断力を伝達するように作用する。ラグスクリューボルト３６は六角形状の頭部３６ａと、軸部３６ｂとからなり、軸部３６ｂの先端側にはねじ山が切られており、その先端は鋭く尖った形状をしている。頭部３６ａは床部材１６の高さ方向略中央に位置し、軸部３６ｂは梁部材１４の挿入孔に案内されてその内部にねじ込まれる。ラグスクリューボルト３６は、平面視で梁部材１４の軸方向に沿って所定の間隔に４箇所に配置される。
【００２９】
本実施の形態１によれば、木質の上側柱部材１２Ａおよび下側柱部材１２Ｂは、床部材１６を介してＧＩＲ３０によって互いに剛接合されるとともに、床部材１６の内部の引張軸補強筋３４によって接合効率が高められる。このため、従来の接合形式に比べて、接合部の剛性および耐力を向上することができる。
【００３０】
また、補強部材を、梁部材１４の軸方向に延在する引張軸補強筋（鉄筋）３４で構成したので、床部材１６の内部の引張軸補強筋３４によって接合効率が高められるとともに、施工性に優れた柱梁接合構造を比較的安価に実現することができる。さらに、梁部材１４を、木材で構成したので、柱梁接合構造を比較的安価に実現することができるとともに、意匠性に優れた木質空間を提供することができる。
【００３１】
（実施の形態２）
本実施の形態２は、木質の柱部材に対して、鉄骨を内蔵したハイブリッド集成材からなる梁部材が取り付く態様のものである。
【００３２】
図５〜図８に示すように、本実施の形態２に係る柱梁接合構造２００は、木質の角型断面の柱部材１２と、Ｈ形鋼３７（鉄骨）を内蔵した木質の角型断面のハイブリッド集成材からなる梁部材３８とを接合してなる柱梁接合構造であって、上側柱部材１２Ａと、梁部材３８が接続する下側柱部材１２Ｂと、下側柱部材１２Ｂおよび梁部材３８の上端面に配置される鉄筋コンクリートからなる水平板状の床部材１６とを備える。上側柱部材１２Ａは、床部材１６を挟んで下側柱部材１２Ｂの上方に配置される。
【００３３】
下側柱部材１２Ｂは、下側柱部材１２Ｂに水平に挿通配置した引きボルト１８および引きボルト１８の端部のナット１８ａを介してこの下側柱部材１２Ｂの側端面に締結固定される平面視でＴ字状断面の梁部材接続用の金物４０（突出金物）を有する。
【００３４】
梁部材接続用の金物４０は、ガセットプレート４２とベースプレート４４とからなり、例えばＨ形鋼をウェブ中央で切断したＴ形鋼（カットティー）などを用いて構成することができる。ガセットプレート４２は、梁部材３８のＨ形鋼３７の端部の孔付きウェブ３７ｂに当接配置され、ベースプレート４４は下側柱部材１２Ｂの側面に当接配置される。なお、金物４０が取り付けられる下側柱部材１２Ｂの側面の凹部状の座彫りの下端部には、モルタルなどの断熱材２６が設けられる。
【００３５】
ガセットプレート４２には、図５および図７に示すように、高力ボルト４６を挿通するための貫通孔が開けられており（本実施例では１枚当たり８か所）、梁部材３８のＨ形鋼３７の端部のウェブ３７ｂはこの貫通孔に通された高力ボルト４６を介してガセットプレート４２に固定される。一方、ベースプレート４４にも、図６に示すように、引きボルト１８を挿通するための貫通孔が開けられている。本実施例では、ガセットプレート４２を挟んで左右両側にそれぞれ引きボルト１８用の貫通孔が４か所ずつ開けられている。このように、下側柱部材１２Ｂと梁部材３８は、高力ボルト４６による１面せん断型に剛接合される。
【００３６】
上側柱部材１２Ａと床部材１６と下側柱部材１２Ｂとは、床部材１６を上下に貫通し（床部材１６の上下端面から上下に突出し）、上側柱部材１２Ａおよび下側柱部材１２Ｂに挿入配置され、ここに付着固定される鋼棒としてのＧＩＲ（グルード・イン・ロッド）３０を用いて接合されている。このＧＩＲ３０は、上側柱部材１２Ａおよび下側柱部材１２Ｂの内部に設けた挿通孔に挿入配置した後、挿通孔の間隙に注入される接着材を介して付着固定される。ＧＩＲ３０は、側面視で間隔をあけて４箇所、すなわち平面視で柱部材１２の周囲の１２箇所に配置される。
【００３７】
柱部材１２は、芯材と燃え止まり層（図面では図示を省略）と燃え代層３２とからなる。芯材は、荷重を支持する集成材（木材）からなり、例えば、スギやカラマツなどの一般的な集成材で構成することができる。燃え止まり層は、芯材の外側に設けられる耐火性を有する被覆層であり、不燃処理された木材などにより構成することができる。燃え代層３２は、燃え止まり層の外側に木質感を付与するためのものであり、木材や集成材等の木質材料で構成することができる。また、梁部材３８についても、Ｈ形鋼３７と、芯材と燃え止まり層と燃え代層とからなる木質材料とで構成することができる。
【００３８】
床部材１６の内部には、梁部材３８の端部の曲げモーメントを床部材１６に伝達可能な補強部材としての引張軸補強筋（鉄筋）３４が配置されている。この引張軸補強筋３４は、左右あるいは前後一対の梁部材３８および下側柱部材１２Ｂを跨ぐ態様で梁部材３８の軸方向に沿って延在しており、床部材１６の高さ方向略中央に配置される。引張軸補強筋３４は、梁部材３８の幅方向に間隔をあけて３本配置される。引張軸補強筋３４を配置することで曲げ耐力が向上し、柱梁の接合効率を大幅に高めることが可能である。
【００３９】
梁部材３８と床部材１６は、梁部材３８の上端面に表出しているＨ形鋼３７の上部フランジ３７ａ上面に溶接接合されたスタッドジベル４８によって接合固定される。スタッドジベル４８は、梁部材３８と床部材１６間のせん断力を伝達するように作用する。スタッドジベル４８は、平面視で梁部材３８の軸方向に沿って所定の間隔に４箇所に配置される。
【００４０】
本実施の形態２によれば、木質の上側柱部材１２Ａおよび下側柱部材１２Ｂは、床部材１６を介してＧＩＲ３０によって互いに剛接合されるとともに、床部材１６の内部の引張軸補強筋３４によって接合効率が高められる。このため、従来の接合形式に比べて、接合部の剛性および耐力を向上することができる。
【００４１】
また、補強部材を、梁部材３８の軸方向に延在する引張軸補強筋（鉄筋）３４で構成したので、床部材１６の内部の引張軸補強筋３４によって接合効率が高められるとともに、施工性に優れた柱梁接合構造を比較的安価に実現することができる。さらに、梁部材３８を、Ｈ形鋼３７（鉄骨）を内蔵した集成材で構成したので、柱梁接合構造を比較的安価に実現することができるとともに、意匠性に優れた木質空間を提供することができる。
【００４２】
（実施の形態３）
本実施の形態３は、上記の実施の形態２において、床部材をクロス・ラミネーティッド・ティンバーまたは軽量気泡コンクリートに代表される乾式材料で構成したものである。
【００４３】
図９および図１０に示すように、本実施の形態３に係る柱梁接合構造３００は、上記の実施の形態２において、床部材１６を鉄筋コンクリートではなく、クロス・ラミネーティッド・ティンバー（直交集成板）または軽量気泡コンクリートに代表される乾式材料で構成したものである。
【００４４】
床部材１６の内部には、梁部材３８の端部の曲げモーメントを床部材１６に伝達可能な補強部材としての棒状の補強ロッド５０が配置されている。この補強ロッド５０は、左右あるいは前後一対の梁部材３８および下側柱部材１２Ｂを跨ぐ態様で梁部材３８の軸方向に沿って延在しており、床部材１６の高さ方向略中央に配置される。補強ロッド５０は、梁部材３８の幅方向略中央に１本配置される。補強ロッド５０を配置することで曲げ耐力が向上し、柱梁の接合効率を大幅に高めることが可能である。
【００４５】
なお、Ｈ形鋼３７と乾式材料からなる床部材１６は、複数の貫通孔を有するプレート５２を介してコーチボルトやラグスクリューボルト等の接合具５４で一体化される。
【００４６】
本実施の形態３によれば、床部材１６を、クロス・ラミネーティッド・ティンバーまたは軽量気泡コンクリートに代表される乾式材料で構成するとともに、補強部材を、梁部材３８の軸方向に延在する棒状の補強ロッド５０で構成したので、床部材１６の内部の補強ロッド５０によって接合効率が高められるとともに、施工性に優れた柱梁接合構造を比較的安価に実現することができる。
【００４７】
（実施の形態４）
本実施の形態４は、上記の実施の形態１または２において、梁部材を鉄筋コンクリートで構成したものである。
【００４８】
図１１に示すように、本実施の形態４に係る柱梁接合構造４００は、上記の実施の形態２の梁部材３８の代わりに、鉄筋コンクリートからなる梁部材５６を用いたものである。また、下側柱部材１２Ｂと床部材１６との間に鉄筋コンクリートからなる仕口部材５８を設け、梁部材５６をこの仕口部材５８の側端面に接続している。梁部材５６および仕口部材５８を鉄筋コンクリートにすれば、火災の際に温度が上昇した場合に仕口部材５８から木質の柱部材１２への伝熱の影響を小さくすることができる。
【００４９】
仕口部材５８は、仕口部材５８に水平に挿通配置した引きボルト１８および引きボルト１８の端部のナットを介してこの仕口部材５８の側端面に締結固定される梁部材接続用の金物６０を有する。この金物６０は、ベースプレート６２からなる。
【００５０】
上側柱部材１２Ａと床部材１６と仕口部材５８と下側柱部材１２Ｂとは、床部材１６を上下に貫通し（床部材１６の上下端面から上下に突出し）、上側柱部材１２Ａ、仕口部材５８および下側柱部材１２Ｂに挿入配置され、ここに付着固定される鋼棒としてのＧＩＲ（グルード・イン・ロッド）３０を用いて接合されている。
【００５１】
床部材１６の内部には、梁部材５６の端部の曲げモーメントを床部材１６に伝達可能な補強部材としての引張軸補強筋（鉄筋）３４が配置されている。この引張軸補強筋３４は、左右あるいは前後一対の梁部材５６および仕口部材５８を跨ぐ態様で梁部材５６の軸方向に沿って延在しており、床部材１６の高さ方向略中央に配置される。引張軸補強筋３４は、梁部材５６の幅方向に間隔をあけて３本配置される。引張軸補強筋３４を配置することで曲げ耐力が向上し、柱梁の接合効率を大幅に高めることが可能である。
【００５２】
本実施の形態４によれば、木質の上側柱部材１２Ａおよび下側柱部材１２Ｂは、床部材１６および仕口部材５８を介してＧＩＲ３０によって互いに剛接合されるとともに、床部材１６の内部の引張軸補強筋３４によって接合効率が高められる。このため、従来の接合形式に比べて、接合部の剛性および耐力を向上することができる。また、梁部材５６を、鉄筋コンクリートで構成したので、柱梁接合構造を比較的安価に実現することができる。
【００５３】
（実施の形態５）
本実施の形態５は、上記の実施の形態１または２において、梁部材を鉄骨で構成したものである。
【００５４】
図１２に示すように、本実施の形態５に係る柱梁接合構造５００は、上記の実施の形態２の梁部材３８の代わりに、Ｈ形鋼（鉄骨）からなる梁部材６４を用いたものである。また、下側柱部材１２Ｂと床部材１６との間に鉄筋コンクリートからなる仕口部材５８を設け、梁部材６４をこの仕口部材５８の側端面に接続している。梁部材６４を鉄骨に、仕口部材５８を鉄筋コンクリートにすれば、火災の際に温度が上昇した場合に仕口部材５８から木質の柱部材１２への伝熱の影響を小さくすることができる。
【００５５】
仕口部材５８は、仕口部材５８に水平に挿通配置した引きボルト１８および引きボルト１８の端部のナットを介してこの仕口部材５８の側端面に締結固定される平面視でＴ字状断面の梁部材接続用の金物４０（突出金物）を有する。
【００５６】
梁部材接続用の金物４０は、ガセットプレート４２とベースプレート４４とからなり、例えばＨ形鋼をウェブ中央で切断したＴ形鋼（カットティー）などを用いて構成することができる。ガセットプレート４２は、梁部材６４の端部の孔付きウェブ６４ｂに当接配置され、ベースプレート４４は仕口部材５８の側面に当接配置される。
【００５７】
ガセットプレート４２には、高力ボルト４６を挿通するための貫通孔が開けられており、梁部材６４の端部のウェブ６４ｂはこの貫通孔に通された高力ボルト４６を介してガセットプレート４２に固定される。
【００５８】
上側柱部材１２Ａと床部材１６と仕口部材５８と下側柱部材１２Ｂとは、床部材１６を上下に貫通し（床部材１６の上下端面から上下に突出し）、上側柱部材１２Ａ、仕口部材５８および下側柱部材１２Ｂに挿入配置され、ここに付着固定される鋼棒としてのＧＩＲ（グルード・イン・ロッド）３０を用いて接合されている。
【００５９】
床部材１６の内部には、梁部材６４の端部の曲げモーメントを床部材１６に伝達可能な補強部材としての引張軸補強筋（鉄筋）３４が配置されている。この引張軸補強筋３４は、左右あるいは前後一対の梁部材６４および仕口部材５８を跨ぐ態様で梁部材６４の軸方向に沿って延在しており、床部材１６の高さ方向略中央に配置される。引張軸補強筋３４は、梁部材６４の幅方向に間隔をあけて３本配置される。引張軸補強筋３４を配置することで曲げ耐力が向上し、柱梁の接合効率を大幅に高めることが可能である。
【００６０】
なお、梁部材６４の端部を、上述のようにガセットプレートによる高力ボルト固定方式にすると、梁部材を仕口部材の内部に貫通させた方式よりも固定度は低いが、接合部の補強部材である引張軸補強筋３４を介して曲げ耐力と固定度の上昇を図ることができる。
【００６１】
梁部材６４と床部材１６は、梁部材６４の上端面の上部フランジ６４ａ上面に溶接接合されたスタッドジベル４８によって接合固定される。スタッドジベル４８は、梁部材６４と床部材１６間のせん断力を伝達するように作用する。
【００６２】
本実施の形態５によれば、木質の上側柱部材１２Ａおよび下側柱部材１２Ｂは、床部材１６および仕口部材５８を介してＧＩＲ３０によって互いに剛接合されるとともに、床部材１６の内部の引張軸補強筋３４によって接合効率が高められる。このため、従来の接合形式に比べて、接合部の剛性および耐力を向上することができる。また、梁部材６４を、鉄骨で構成したので、柱梁接合構造を比較的安価に実現することができる。
【００６３】
このように、上記の各実施の形態によれば、床部材の内部の鉄筋等を利用することで接合効率の大幅な上昇を実現することが可能である。接合部の剛性、耐力を確保することでラーメン架構以外の耐震要素を減少させ、高い空間自由度を実現することができる。
【００６４】
なお、上記の各実施の形態においては、床部材を鉄筋コンクリートなどの材料で構成した場合について説明したが、本発明はこれに限るものではなく、床部材を木質材料で構成してもよく、このようにしても上記の各実施の形態と同様に接合効率の向上を図ることが可能である。
【００６５】
また、上記の各実施の形態においては、接合部の取り合いにガセットプレート、ラグスクリューボルト、スタッドジベル、ＧＩＲ等の周知の技術を適用している。したがって、本発明によれば、施工性に優れ、かつ低コストの柱梁接合構造を提供することが可能である。また、接合部の取り合いが明快なため、耐火被覆等の耐火仕様の納まりも容易となる。
【００６６】
また、本発明は、木質柱と様々なタイプの木質梁のハイブリッド化に対応可能な汎用的な構造ということができる。柱と同時に梁も木質化することにより、意匠性に優れた木質空間を提供することができる。
【００６７】
このように、本発明によれば、空間自由度、架構自由度、意匠性、施工性、コスト、耐火納まり等の優位性を具備した優れた柱梁接合構造を提供することができる。
【００６８】
以上説明したように、本発明に係る柱梁接合構造によれば、木質の柱部材と梁部材とを接合してなる柱梁接合構造において、梁部材を接続するための突出金物を側端面に有する下側柱部材と、下側柱部材および梁部材の上端面に配置される水平板状の床部材と、床部材を挟んで下側柱部材の上方に配置される上側柱部材とを備え、上側柱部材と床部材と下側柱部材とを、床部材の上下端面から上下に突出し、上側柱部材および下側柱部材に挿入配置され、ここに付着固定される鋼棒を用いて接合し、床部材の内部に、梁部材の端部の曲げモーメントを床部材に伝達可能な補強部材を配置して曲げ耐力を向上させたので、木質の上側柱部材および下側柱部材は、床部材を介して鋼棒によって互いに剛接合されるとともに、床部材の内部の補強部材によって接合効率が高められる。このため、従来の接合形式に比べて、接合部の剛性および耐力を向上することができる。
【００６９】
また、本発明に係る他の柱梁接合構造によれば、梁部材を、鉄骨を内蔵した集成材、または、木材で構成したので、柱梁接合構造を比較的安価に実現することができるとともに、意匠性に優れた木質空間を提供することができる。
【００７０】
また、本発明に係る他の柱梁接合構造によれば、木質の柱部材と梁部材とを接合してなる柱梁接合構造において、梁部材が接続する鉄筋コンクリートまたはコンクリートからなる仕口部材と、仕口部材の下端面に配置される下側柱部材と、仕口部材および梁部材の上端面に配置される水平板状の床部材と、床部材を挟んで仕口部材の上方に配置される上側柱部材とを備え、上側柱部材と床部材と仕口部材と下側柱部材とを、床部材の上下端面から上下に突出し、上側柱部材、仕口部材および下側柱部材に挿入配置され、ここに付着固定される鋼棒を用いて接合し、床部材の内部に、梁部材の端部の曲げモーメントを床部材に伝達可能な補強部材を配置して曲げ耐力を向上させたので、木質の上側柱部材および下側柱部材は、床部材および仕口部材を介して鋼棒によって互いに剛接合されるとともに、床部材の内部の補強部材によって接合効率が高められる。このため、従来の接合形式に比べて、接合部の剛性および耐力を向上することができる。
【００７１】
また、本発明に係る他の柱梁接合構造によれば、梁部材を、鉄骨または鉄筋コンクリートで構成したので、柱梁接合構造を比較的安価に実現することができる。
【００７２】
また、本発明に係る他の柱梁接合構造によれば、床部材を、鉄筋コンクリートで構成するとともに、補強部材を、梁部材の軸方向に延在する鉄筋で構成したので、床部材の内部の鉄筋によって接合効率が高められるとともに、施工性に優れた柱梁接合構造を比較的安価に実現することができる。
【００７３】
また、本発明に係る他の柱梁接合構造によれば、床部材を、クロス・ラミネーティッド・ティンバーまたは軽量気泡コンクリートに代表される乾式材料で構成するとともに、補強部材を、梁部材の軸方向に延在する棒状の補強ロッドで構成したので、床部材の内部の補強ロッドによって接合効率が高められるとともに、施工性に優れた柱梁接合構造を比較的安価に実現することができる。
【産業上の利用可能性】
【００７４】
以上のように、本発明に係る柱梁接合構造は、木質の柱部材と梁部材とを接合した柱梁接合構造に有用であり、特に、接合部の剛性および耐力を向上するのに適している。
【符号の説明】
【００７５】
１００，２００，３００，４００，５００  柱梁接合構造
１２  柱部材
１２Ａ  上側柱部材
１２Ｂ  下側柱部材
１４，３８，５６，６４  梁部材
１６  床部材
１８  引きボルト
１８ａ  ナット
２０，４０  金物（突出金物）
２２，４２  ガセットプレート
２４，４４，６２  ベースプレート
２６  断熱材
２８，５４  接合具
３０  ＧＩＲ（鋼棒）
３２  燃え代層
３４  引張軸補強筋（鉄筋、補強部材）
３６  ラグスクリューボルト
３６ａ  頭部
３６ｂ  軸部
３７  Ｈ形鋼（鉄骨）
３７ａ，６４ａ  フランジ
３７ｂ，６４ｂ  ウェブ
４６  高力ボルト
４８  スタッドジベル
５０  補強ロッド（補強部材）
５２  プレート
５８  仕口部材
６０  金物
【図１】
2016037797.tif 000003
【図２】
2016037797.tif 000004
【図３】
2016037797.tif 000005
【図４】
2016037797.tif 000006
【図５】
2016037797.tif 000007
【図６】
2016037797.tif 000008
【図７】
2016037797.tif 000009
【図８】
2016037797.tif 000010
【図９】
2016037797.tif 000011
【図１０】
2016037797.tif 000012
【図１１】
2016037797.tif 000013
【図１２】
2016037797.tif 000014